(57)【特許請求の範囲】
【請求項１】
物品を、上流側から下流側へ向かう搬送方向に搬送する搬送装置と、前記搬送装置によって搬送される状態において上側となる物品の上面に、画像を記録するインクジェット記録部と、を有する、インクジェット記録システムであって、
前記搬送装置は、
前記搬送方向に隣り合う状態で設けられ、物品を前記搬送方向に搬送するための複数の搬送ローラと、
前記搬送方向に直交する直交方向の第一の側及び第二の側のうちの前記第一の側に設けられ、搬送中の物品の側面のうち、基準とされる基準側面部に接し、前記直交方向において、搬送中の物品の位置決めをする第一位置決め部と、
前記複数の搬送ローラによる物品の搬送を行う機構とは別体の搬送機構と、を有し、
前記複数の搬送ローラは、複数の第一直行ローラと、複数の傾斜ローラと、複数の第二直行ローラと、を含み、
前記第一直行ローラは、前記第一直行ローラの第一回転軸が前記直交方向に一致する状態とされ、
前記傾斜ローラは、前記第一直行ローラによる導入領域の前記下流側となる斜行領域を形成し、前記傾斜ローラの第二回転軸が、搬送中の物品を前記第一の側に斜行させる方向に傾斜した第一状態とされ、且つ物品の基準側面部が前記第一位置決め部に接した状態で、物品が前記第一位置決め部から受ける反力に応じて、前記傾斜ローラの傾斜ローラ本体を、前記第二回転軸の軸方向において、前記第二の側に移動させる第一移動機構を有し、
前記第二直行ローラは、前記斜行領域の前記下流側となる送出領域を形成し、前記第二直行ローラの第三回転軸が前記直交方向に一致する状態とされ、
前記別体の搬送機構は、前記下流側で前記送出領域に連続して設けられ、
前記インクジェット記録部は、前記第一位置決め部によって位置決めされた状態で、前記別体の搬送機構によって、さらに前記搬送方向に搬送される物品の上面に、インクを吐出する、インクジェット記録システム。
【請求項２】
前記第一移動機構は、
前記第一の側に設けられ、前記傾斜ローラ本体を、前記第二回転軸の軸方向において、前記第二の側に移動させるための付勢力を生じさせる第一付勢部と、
前記第二の側に設けられ、前記第一付勢部による付勢力と反対方向の付勢力を生じさせる第二付勢部と、を有する、請求項１に記載のインクジェット記録システム。
【請求項３】
前記傾斜ローラは、
前記傾斜ローラ本体を構成し、前記第一の側に設けられ、前記第二回転軸が挿入された状態で、前記第二回転軸に対して前記第二回転軸の軸方向に摺動する第一摺動部と、
前記傾斜ローラ本体を構成し、前記第二の側に設けられ、前記第二回転軸が挿入された状態で、前記第二回転軸に対して前記第二回転軸の軸方向に摺動する第二摺動部と、
前記傾斜ローラ本体を構成し、前記第一の側において前記第一摺動部に嵌合され、前記第二の側において前記第二摺動部に嵌合される筒状のカラーと、を有し、
前記第一移動機構において、
前記第一付勢部は、前記第一摺動部を付勢し、
前記第二付勢部は、前記第二摺動部を付勢する、請求項２に記載のインクジェット記録システム。
【請求項４】
前記搬送装置は、さらに、
前記第二の側に設けられ、搬送中の物品の基準側面部に接し、前記直交方向において、搬送中の物品の位置決めをする第二位置決め部と、
前記第一状態とされた、前記傾斜ローラにおける前記第二回転軸が、搬送中の物品を前記第二の側に斜行させる方向に傾斜した第二状態に切り替える切替機構と、を有し、
前記傾斜ローラは、前記第二回転軸の軸方向において前記第二回転軸の両端にそれぞれ設けられた球面軸受によって、前記搬送装置に取り付けられ、
前記第一移動機構は、物品の基準側面部が前記第二位置決め部に接した状態で、物品が前記第二位置決め部から受ける反力に応じて、前記傾斜ローラ本体を、前記第二回転軸の軸方向において、前記第一の側に移動させ、
前記インクジェット記録部は、前記第二位置決め部によって搬送中の物品が位置決めされた状態で、前記別体の搬送機構によって、さらに前記搬送方向に搬送される物品の上面に、インクを吐出する、請求項１から請求項３の何れか１項に記載のインクジェット記録システム。
【請求項５】
前記第一直行ローラは、物品の基準側面部が前記第一位置決め部に接した状態で、物品が前記第一位置決め部から受ける反力に応じて、前記第一直行ローラの直行ローラ本体を、前記直交方向に一致する前記第一回転軸の軸方向において、前記第二の側に移動させ、物品の基準側面部が前記第二位置決め部に接した状態で、物品が前記第二位置決め部から受ける反力に応じて、前記直行ローラ本体を、前記第一回転軸の軸方向において、前記第一の側に移動させる第二移動機構を有し、且つ前記第一回転軸の軸方向において前記第一回転軸の両端にそれぞれ設けられたすべり軸受によって、前記搬送装置に取り付けられ、
前記第一位置決め部及び前記第二位置決め部は、前記搬送方向において、前記導入領域では、前記直交方向における幅が、漸次減少するように配列された状態で設けられ、前記斜行領域及び前記送出領域では、前記搬送方向に平行となるように配列された状態で設けられる、請求項４に記載のインクジェット記録システム。
【請求項６】
上流側から下流側へ向かう搬送方向に隣り合う状態で設けられ、物品を前記搬送方向に搬送するための複数の搬送ローラと、前記搬送方向に直交する直交方向の第一の側及び第二の側のうちの前記第一の側に設けられ、搬送中の物品の側面のうち、基準とされる基準側面部に接し、前記直交方向において、搬送中の物品の位置決めをする第一位置決め部と、前記複数の搬送ローラによる物品の搬送を行う機構とは別体の搬送機構と、を有し、前記複数の搬送ローラは、複数の第一直行ローラと、複数の傾斜ローラと、複数の第二直行ローラと、を含み、前記第一直行ローラは、前記第一直行ローラの第一回転軸が前記直交方向に一致する状態とされ、前記傾斜ローラは、前記第一直行ローラによる導入領域の前記下流側となる斜行領域を形成し、前記傾斜ローラの第二回転軸が、搬送中の物品を前記第一の側に斜行させる方向に傾斜した第一状態とされ、且つ物品の基準側面部が前記第一位置決め部に接した状態で、物品が前記第一位置決め部から受ける反力に応じて、前記傾斜ローラの傾斜ローラ本体を、前記第二回転軸の軸方向において、前記第二の側に移動させる第一移動機構を有し、前記第二直行ローラは、前記斜行領域の前記下流側となる送出領域を形成し、前記第二直行ローラの第三回転軸が前記直交方向に一致する状態とされる、搬送装置と、前記別体の搬送機構によって、さらに前記搬送方向に搬送される物品の、前記搬送装置によって搬送される状態において上側となる上面に、インクを吐出し、画像を記録するインクジェット記録部と、を有する、インクジェット記録システムで実行されるインクジェット記録方法であって、
前記搬送装置の前記上流側において、物品の第二面が下面となる状態で、前記搬送装置の搬送面に物品を載せ置く第一セット工程と、
前記第一セット工程で前記搬送面に載せ置かれた物品を、前記搬送方向に搬送する第一搬送工程と、
搬送中の物品を、前記傾斜ローラによって前記第一の側に斜行させ、物品の基準側面部が前記第一位置決め部に接した状態とし、前記直交方向において、搬送中の物品の位置決めをする第一位置決め工程と、
前記第一位置決め工程で位置決めされた状態で、前記別体の搬送機構によって搬送中の物品の上面となる、第二面と反対側の第一面に、インクを吐出し、画像を記録する第一インクジェット記録工程と、を含み、
前記第一位置決め工程は、さらに、物品の基準側面部が前記第一位置決め部に接した状態で、物品が前記第一位置決め部から受ける反力に応じて、前記傾斜ローラ本体を、前記第二回転軸の軸方向において、前記第二の側に移動させる第一移動工程を含む、インクジェット記録方法。
【請求項７】
前記インクジェット記録方法は、
前記第二の側に設けられ、搬送中の物品の基準側面部に接し、前記直交方向において、搬送中の物品の位置決めをする第二位置決め部と、前記第一状態とされた、前記傾斜ローラにおける前記第二回転軸が、搬送中の物品を前記第二の側に斜行させる方向に傾斜した第二状態に切り替える切替機構と、を有し、前記傾斜ローラは、前記第二回転軸の軸方向において前記第二回転軸の両端にそれぞれ設けられた球面軸受によって、前記搬送装置に取り付けられ、前記第一移動機構は、物品の基準側面部が前記第二位置決め部に接した状態で、物品が前記第二位置決め部から受ける反力に応じて、前記傾斜ローラ本体を、前記第二回転軸の軸方向において、前記第一の側に移動させる、前記搬送装置を有する、前記インクジェット記録システムで実行され、
前記インクジェット記録方法は、さらに、
前記切替機構を、前記第一状態から前記第二状態に切り替える切替工程と、
第一面に画像が記録された物品を、前記直交方向に反転させ、前記搬送装置の前記上流側において、物品の第一面が下面となる状態で、前記搬送面に物品を載せ置く第二セット工程と、
前記第二セット工程で前記搬送面に載せ置かれた物品を、前記搬送方向に搬送する第二搬送工程と、
搬送中の物品を、前記傾斜ローラによって前記第二の側に斜行させ、物品の基準側面部が前記第二位置決め部に接した状態とし、前記直交方向において、搬送中の物品の位置決めをする第二位置決め工程と、
前記第二位置決め工程で位置決めされた状態で、前記別体の搬送機構によって搬送中の物品の上面となる第二面に、インクを吐出し、画像を記録する第二インクジェット記録工程と、を含み、
前記第二位置決め工程は、さらに、物品の基準側面部が前記第二位置決め部に接した状態で、物品が前記第二位置決め部から受ける反力に応じて、前記傾斜ローラ本体を、前記第二回転軸の軸方向において、前記第一の側に移動させる第二移動工程を含む、請求項６に記載のインクジェット記録方法。
【発明の詳細な説明】
【技術分野】
【０００１】
本発明は、搬送装置を有するインクジェット記録システム、及び、インクジェット記録システムで実行されるインクジェット記録方法に関する。
【背景技術】
【０００２】
従来から、物品を搬送するための技術が提案されている（例えば、特許文献１参照）。特許文献１の塗装装置は、建築板の幅方向についておよその位置を決める第１位置決め部と、建築板の幅方向の位置をさらに正確に決める第２位置決め部とを備える。第１位置決め部および第２位置決め部を通り幅方向の位置決めがなされた建築板は塗装部に搬送される。第１位置決め部には、搬送装置を構成するローラコンベアが配置されている。ローラコンベアは、複数本のローラを搬送方向に配列した構成を有し、建築板の搬送方向に対しては傾斜するように配置される。ローラコンベアには建築板の幅方向の一側面が当接する多数個の位置決めロールが配置される。位置決めロールは上下方向の回転軸を有し搬送方向に列設される。第１位置決め部では、複数本のローラが前述のように傾斜するように配置されるため、建築板は、位置決めロールの側に建築板が付勢される。
【０００３】
特許文献１とは異なる技術も提案されている（例えば、特許文献２、特許文献３、特許文献４、特許文献５参照）。
【先行技術文献】
【特許文献】
【０００４】
【特許文献１】特開２００７−９８６４７号公報
【特許文献２】特開２０１０−２５４４３６号公報
【特許文献３】特開２００４−２５０２１５号公報
【特許文献４】特開２０１０−５５０号公報
【特許文献５】実開平１−１２１０２０号公報
【発明の概要】
【発明が解決しようとする課題】
【０００５】
上述したような従来の技術によれば、搬送中の物品を、搬送方向に直交する直交方向において位置決めすることができる。しかし、搬送中の物品が位置決めのための構成に接した状態において、物品には、この構成からの反力が作用する。そのため、ローラの外周面と、これに接した物品の下面との間に、擦れが生じる。物品の種類によっては、この擦れによって物品の品位が低下することもあり得る。
【０００６】
本発明は、搬送対象の物品を好適に搬送することができるインクジェット記録システム、及び、インクジェット記録システムで実行されるインクジェット記録方法を提供することを目的とする。
【課題を解決するための手段】
【０００７】
上記従来の課題に鑑みなされた本発明の一側面は、物品を、上流側から下流側へ向かう搬送方向に搬送する搬送装置と、前記搬送装置によって搬送される状態において上側となる物品の上面に、画像を記録するインクジェット記録部と、を有する、インクジェット記録システムであって、前記搬送装置は、前記搬送方向に隣り合う状態で設けられ、物品を前記搬送方向に搬送するための複数の搬送ローラと、前記搬送方向に直交する直交方向の第一の側及び第二の側のうちの前記第一の側に設けられ、搬送中の物品の側面のうち、基準とされる基準側面部に接し、前記直交方向において、搬送中の物品の位置決めをする第一位置決め部と、前記複数の搬送ローラによる物品の搬送を行う機構とは別体の搬送機構と、を有し、前記複数の搬送ローラは、複数の第一直行ローラと、複数の傾斜ローラと、複数の第二直行ローラと、を含み、前記第一直行ローラは、前記第一直行ローラの第一回転軸が前記直交方向に一致する状態とされ、前記傾斜ローラは、前記第一直行ローラによる導入領域の前記下流側となる斜行領域を形成し、前記傾斜ローラの第二回転軸が、搬送中の物品を前記第一の側に斜行させる方向に傾斜した第一状態とされ、且つ物品の基準側面部が前記第一位置決め部に接した状態で、物品が前記第一位置決め部から受ける反力に応じて、前記傾斜ローラの傾斜ローラ本体を、前記第二回転軸の軸方向において、前記第二の側に移動させる第一移動機構を有し、前記第二直行ローラは、前記斜行領域の前記下流側となる送出領域を形成し、前記第二直行ローラの第三回転軸が前記直交方向に一致する状態とされ、前記別体の搬送機構は、前記下流側で前記送出領域に連続して設けられ、前記インクジェット記録部は、前記第一位置決め部によって位置決めされた状態で、前記別体の搬送機構によって、さらに前記搬送方向に搬送される物品の上面に、インクを吐出する、インクジェット記録システムである。
【０００８】
これによれば、搬送中の物品を斜行させ、直交方向における物品の位置決めを行う際に、傾斜ローラ本体と、この傾斜ローラ本体に接する物品の下面との間に生じる擦れを防止することができる。送出領域において、物品を、反力が作用せず、単に位置決めだけされ、搬送方向を直行する状態とすることができる。そのため、物品の別体の搬送機構への移動を、前述したような状態で行うことが可能となり、好適に実現することができる。また、物品に反力が作用していない状態で、画像を記録することができる。好適に位置決めされた状態で、画像を好適に記録することが可能となり、好適な画像品質の物品を得ることができる。このインクジェット記録システムの搬送装置によって搬送対象とされる物品は、広く解釈される。例えば、主たる搬送対象が、搬送ローラに載せ置かれて搬送される場合、物品は、この主たる搬送対象である。また、主たる搬送対象が、直接、搬送ローラに載せ置かれたパレットにセットされ、搬送対象とパレットとが共に搬送される場合、物品は、このパレットを含む。この場合、第一位置決め部に接する、物品の基準側面部は、少なくとも、主たる搬送対象の側面の一部、又は、このパレットの側面の一部である。
【０００９】
このインクジェット記録システムは、次のような構成とすることもできる。前記第一移動機構は、前記第一の側に設けられ、前記傾斜ローラ本体を、前記第二回転軸の軸方向において、前記第二の側に移動させるための付勢力を生じさせる第一付勢部と、前記第二の側に設けられ、前記第一付勢部による付勢力と反対方向の付勢力を生じさせる第二付勢部と、を有する、ようにしてもよい。これによれば、傾斜ローラ本体を、好適に移動させることができる。
【００１０】
また、前記傾斜ローラは、前記傾斜ローラ本体を構成し、前記第一の側に設けられ、前記第二回転軸が挿入された状態で、前記第二回転軸に対して前記第二回転軸の軸方向に摺動する第一摺動部と、前記傾斜ローラ本体を構成し、前記第二の側に設けられ、前記第二回転軸が挿入された状態で、前記第二回転軸に対して前記第二回転軸の軸方向に摺動する第二摺動部と、前記傾斜ローラ本体を構成し、前記第一の側において前記第一摺動部に嵌合され、前記第二の側において前記第二摺動部に嵌合される筒状のカラーと、を有し、前記第一移動機構において、前記第一付勢部は、前記第一摺動部を付勢し、前記第二付勢部は、前記第二摺動部を付勢する、ようにしてもよい。
【００１１】
これによれば、摺動抵抗を低減し、傾斜ローラ本体を、好適に移動させることができる。物品の下面を擦ることなく、傾斜ローラ本体が、第二の側に移動するためには、傾斜ローラ本体の第二の側への摺動抵抗と、第一付勢部及び第二付勢部の付勢力の合力との和が、傾斜ローラと物品との間の摩擦抵抗よりも小さくなる必要がある。傾斜ローラを、分割された第一摺動部及び第二摺動部によって構成し、これらに第二回転軸が挿入された状態とすることで、第二回転軸に対して摺動する部材の同心度を考慮する必要性が低減し、その摺動抵抗を小さくすることができる。その結果、より好適に、傾斜ローラ本体と、この傾斜ローラ本体に接する物品の下面との間に生じる擦れを防止することができる。
【００１２】
また、前記搬送装置は、さらに、前記第二の側に設けられ、搬送中の物品の基準側面部に接し、前記直交方向において、搬送中の物品の位置決めをする第二位置決め部と、前記第一状態とされた、前記傾斜ローラにおける前記第二回転軸が、搬送中の物品を前記第二の側に斜行させる方向に傾斜した第二状態に切り替える切替機構と、を有し、前記傾斜ローラは、前記第二回転軸の軸方向において前記第二回転軸の両端にそれぞれ設けられた球面軸受によって、前記搬送装置に取り付けられ、前記第一移動機構は、物品の基準側面部が前記第二位置決め部に接した状態で、物品が前記第二位置決め部から受ける反力に応じて、前記傾斜ローラ本体を、前記第二回転軸の軸方向において、前記第一の側に移動させ、前記インクジェット記録部は、前記第二位置決め部によって搬送中の物品が位置決めされた状態で、前記別体の搬送機構によって、さらに前記搬送方向に搬送される物品の上面に、インクを吐出する、ようにしてもよい。これによれば、物品の位置決めを、直交方向における搬送装置の両側で行うことができる。
【００１３】
また、前記第一直行ローラは、物品の基準側面部が前記第一位置決め部に接した状態で、物品が前記第一位置決め部から受ける反力に応じて、前記第一直行ローラの直行ローラ本体を、前記直交方向に一致する前記第一回転軸の軸方向において、前記第二の側に移動させ、物品の基準側面部が前記第二位置決め部に接した状態で、物品が前記第二位置決め部から受ける反力に応じて、前記直行ローラ本体を、前記第一回転軸の軸方向において、前記第一の側に移動させる第二移動機構を有し、且つ前記第一回転軸の軸方向において前記第一回転軸の両端にそれぞれ設けられたすべり軸受によって、前記搬送装置に取り付けられ、前記第一位置決め部及び前記第二位置決め部は、前記搬送方向において、前記導入領域では、前記直交方向における幅が、漸次減少するように配列された状態で設けられ、前記斜行領域及び前記送出領域では、前記搬送方向に平行となるように配列された状態で設けられる、ようにしてもよい。これによれば、導入領域において、物品の直交方向における位置を、おおよそ合わせることができる。
【００１４】
本発明の他の側面は、上流側から下流側へ向かう搬送方向に隣り合う状態で設けられ、物品を前記搬送方向に搬送するための複数の搬送ローラと、前記搬送方向に直交する直交方向の第一の側及び第二の側のうちの前記第一の側に設けられ、搬送中の物品の側面のうち、基準とされる基準側面部に接し、前記直交方向において、搬送中の物品の位置決めをする第一位置決め部と、前記複数の搬送ローラによる物品の搬送を行う機構とは別体の搬送機構と、を有し、前記複数の搬送ローラは、複数の第一直行ローラと、複数の傾斜ローラと、複数の第二直行ローラと、を含み、前記第一直行ローラは、前記第一直行ローラの第一回転軸が前記直交方向に一致する状態とされ、前記傾斜ローラは、前記第一直行ローラによる導入領域の前記下流側となる斜行領域を形成し、前記傾斜ローラの第二回転軸が、搬送中の物品を前記第一の側に斜行させる方向に傾斜した第一状態とされ、且つ物品の基準側面部が前記第一位置決め部に接した状態で、物品が前記第一位置決め部から受ける反力に応じて、前記傾斜ローラの傾斜ローラ本体を、前記第二回転軸の軸方向において、前記第二の側に移動させる第一移動機構を有し、前記第二直行ローラは、前記斜行領域の前記下流側となる送出領域を形成し、前記第二直行ローラの第三回転軸が前記直交方向に一致する状態とされる、搬送装置と、前記別体の搬送機構によって、さらに前記搬送方向に搬送される物品の、前記搬送装置によって搬送される状態において上側となる上面に、インクを吐出し、画像を記録するインクジェット記録部と、を有する、インクジェット記録システムで実行されるインクジェット記録方法であって、前記搬送装置の前記上流側において、物品の第二面が下面となる状態で、前記搬送装置の搬送面に物品を載せ置く第一セット工程と、前記第一セット工程で前記搬送面に載せ置かれた物品を、前記搬送方向に搬送する第一搬送工程と、搬送中の物品を、前記傾斜ローラによって前記第一の側に斜行させ、物品の基準側面部が前記第一位置決め部に接した状態とし、前記直交方向において、搬送中の物品の位置決めをする第一位置決め工程と、前記第一位置決め工程で位置決めされた状態で、前記別体の搬送機構によって搬送中の物品の上面となる、第二面と反対側の第一面に、インクを吐出し、画像を記録する第一インクジェット記録工程と、を含み、前記第一位置決め工程は、さらに、物品の基準側面部が前記第一位置決め部に接した状態で、物品が前記第一位置決め部から受ける反力に応じて、前記傾斜ローラ本体を、前記第二回転軸の軸方向において、前記第二の側に移動させる第一移動工程を含む、インクジェット記録方法である。これによれば、好適に位置決めされた状態で、画像を好適に記録することが可能となり、好適な画像品質の物品を得ることができる。
【００１５】
このインクジェット記録方法は、次のような構成とすることもできる。前記インクジェット記録方法は、前記第二の側に設けられ、搬送中の物品の基準側面部に接し、前記直交方向において、搬送中の物品の位置決めをする第二位置決め部と、前記第一状態とされた、前記傾斜ローラにおける前記第二回転軸が、搬送中の物品を前記第二の側に斜行させる方向に傾斜した第二状態に切り替える切替機構と、を有し、前記傾斜ローラは、前記第二回転軸の軸方向において前記第二回転軸の両端にそれぞれ設けられた球面軸受によって、前記搬送装置に取り付けられ、前記第一移動機構は、物品の基準側面部が前記第二位置決め部に接した状態で、物品が前記第二位置決め部から受ける反力に応じて、前記傾斜ローラ本体を、前記第二回転軸の軸方向において、前記第一の側に移動させる、前記搬送装置を有する、前記インクジェット記録システムで実行され、前記インクジェット記録方法は、さらに、前記切替機構を、前記第一状態から前記第二状態に切り替える切替工程と、第一面に画像が記録された物品を、前記直交方向に反転させ、前記搬送装置の前記上流側において、物品の第一面が下面となる状態で、前記搬送面に物品を載せ置く第二セット工程と、前記第二セット工程で前記搬送面に載せ置かれた物品を、前記搬送方向に搬送する第二搬送工程と、搬送中の物品を、前記傾斜ローラによって前記第二の側に斜行させ、物品の基準側面部が前記第二位置決め部に接した状態とし、前記直交方向において、搬送中の物品の位置決めをする第二位置決め工程と、前記第二位置決め工程で位置決めされた状態で、前記別体の搬送機構によって搬送中の物品の上面となる第二面に、インクを吐出し、画像を記録する第二インクジェット記録工程と、を含み、前記第二位置決め工程は、さらに、物品の基準側面部が前記第二位置決め部に接した状態で、物品が前記第二位置決め部から受ける反力に応じて、前記傾斜ローラ本体を、前記第二回転軸の軸方向において、前記第一の側に移動させる第二移動工程を含む、ようにしてもよい。
【００１６】
これによれば、搬送方向に対する物品の先頭位置と、基準側面部とを、第一面への画像の記録の際と、第二面への画像の記録の際の両時において、同一とすることができる。第一面及び第二面の何れについても、好適に位置決めされた状態で、画像を好適に記録ことができる。
【発明の効果】
【００１７】
本発明によれば、搬送対象の物品を好適に搬送することができるインクジェット記録システム、及び、インクジェット記録システムで実行されるインクジェット記録方法を得ることができる。
【図面の簡単な説明】
【００１８】
【図１】搬送装置の概略構成の一例を示す図であって、物品が、搬送装置の斜行領域を、搬送方向に直交する直交方向のうち、第一の側に斜行する状態を示す図である。
【図２】搬送装置の概略構成の一例を示す図であって、物品が、搬送装置の斜行領域を、直交方向のうち、第二の側に斜行する状態を示す図である。
【図３】傾斜ローラ、第一ガイドローラ及び第二ガイドローラの概略構成の一例を示す図である。
【図４】傾斜ローラの傾斜角度を切り替えた場合における傾斜ローラの状態を説明する図である。
【図５】第一直行ローラ、第一ガイドローラ及び第二ガイドローラの概略構成の一例を示す図である。
【図６】インクジェット記録システムの概略構成の一例を示す図である。
【発明を実施するための形態】
【００１９】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。また、他の構成を含むようにしてもよい。
【００２０】
＜搬送装置＞
搬送装置１について、図１〜図３等を参照して説明する。なお、図１及び図２は、搬送装置１を、上方から視認した図（平面図）である。図３は、搬送装置１を、搬送方向の上流側から視認した状態に対応した部分断面図である。図３におけるハッチングは、断面を示すものである。
【００２１】
搬送装置１は、ローラコンベアである。搬送装置１は、所定の物品３を、搬送方向に搬送する。物品３としては、数ミリ程度〜数十センチ程度の厚みを有する物品が例示される。具体的に、物品３としては、コンクリートブロック、サイディング材（建築板）、段ボール箱、鋼板、ガラス板等の産業資材等が例示される。この他、物品３には、所定の商品（梱包された状態を含む）等が例示される。ユーザは、搬送方向の上流側において、搬送対象の物品３を、搬送装置１に載せ置く。例えば、搬送装置１が、後述するインクジェット記録システム７に採用される場合、ユーザは、画像が記録される面が、上側となるようにして、物品３を搬送装置１に載せ置く。この点に関する説明は、後述する。搬送装置１における搬送では、パレット５を用いてもよい。この場合、物品３は、図３及び図５に示すように、搬送装置１に直接載せ置かれたパレット５上に載せ置かれる。なお、図１及び図２では、パレット５は、図示されていない。
【００２２】
搬送装置１は、図１及び図２に示すように、複数の搬送ローラ１０と、複数の第一ガイドローラ９０と、複数の第二ガイドローラ９２と、切替機構１００とを有する。複数の搬送ローラ１０は、搬送方向に隣り合う状態で設けられ、物品３を搬送方向に搬送する。複数の搬送ローラ１０は、それぞれ、搬送方向に対応した方向に回転し、これによって物品３は、搬送方向に搬送される。複数の搬送ローラ１０は、それぞれ、不図示のタイミングベルトに接続されている。タイミングベルトには、モータ等の駆動源が接続されている。複数の搬送ローラ１０の搬送方向に対応した方向への回転は、駆動源が駆動し、これに伴い、タイミングベルトが搬送方向に対応した方向に回転し、この回転による駆動力が、複数の搬送ローラ１０に伝達されて行われる。
【００２３】
複数の搬送ローラ１０は、複数の傾斜ローラ２０と、複数の第一直行ローラ５０と、複数の第二直行ローラ８０とに分類される。なお、本実施形態において、搬送ローラ１０は、傾斜ローラ２０、第一直行ローラ５０及び第二直行ローラ８０を総称するものである。図１及び図２に示す例では、４本の傾斜ローラ２０と、３本の第一直行ローラ５０と、３本の第二直行ローラ８０との合計１０本の搬送ローラ１０が、図示されているが、これら本数は、例示であり、傾斜ローラ２０、第一直行ローラ５０及び第二直行ローラ８０の本数は、それぞれ、搬送方向における搬送装置１の全長（搬送距離）等に基づき適宜決定される。
【００２４】
図１及び図２に示す搬送装置１では、複数の傾斜ローラ２０による斜行領域１１０は、複数の第一直行ローラ５０による導入領域１１２と、複数の第二直行ローラ８０による送出領域１１４との間に形成されている。なお、導入領域１１２と、斜行領域１１０と、送出領域１１４とは、物理的に分離した複数の搬送機構によって形成されてもよい。この場合、搬送装置１は、複数の搬送機構を組み合わせて形成される。
【００２５】
斜行領域１１０において、複数の傾斜ローラ２０は、それぞれ、回転軸２２が、搬送方向に直交する直交方向に対して（図１、図２及び図４に示す「基準線Ｋ」参照）、所定の角度θ１（図１参照）又は角度θ２（図２参照）だけ傾斜した状態で設けられている。角度θ１，θ２は、直交方向を基準とした方向が相違するが、その大きさ（絶対値）は同一又は同程度である。角度θ１，θ２は、それぞれ、斜行させる量等を考慮して、適宜設定される。角度θ１，θ２は、数度〜十数度の範囲、例えば、５°程度に設定される。
【００２６】
導入領域１１２において、複数の第一直行ローラ５０は、それぞれ、回転軸５２が、直交方向に一致するような状態、具体的に、直交方向に対する角度が０°となるような状態で設けられている。同じく、送出領域１１４において、複数の第二直行ローラ８０は、それぞれ、回転軸８２が、直交方向に対する角度が０°となるような状態で設けられている。従って、搬送装置１を搬送方向に搬送される物品３は、上述したように搬送装置１に載せ置かれた後、図１及び図２に示すように、導入領域１１２を直行して搬送方向に搬送される。なお、導入領域１１２において、物品３が、第一ガイドローラ９０又は第二ガイドローラ９２に接したとき、物品３は、第一ガイドローラ９０又は第二ガイドローラ９２に沿って搬送される。導入領域１１２を通過した物品３は、斜行領域１１０を、角度θ１又は角度θ２に対応した側に向けて斜行しつつ、搬送方向に搬送される。斜行領域１１０を通過した物品３は、送出領域１１４を直行して搬送方向に搬送される。傾斜ローラ２０及び第一直行ローラ５０の構造等と、斜行領域１１０及び導入領域１１２における搬送経路及び位置決め等とについては、後述する。
【００２７】
複数の第一ガイドローラ９０は、図１及び図２に示すように、直交方向のうち、第一の側に、搬送方向に沿うように設けられる。複数の第二ガイドローラ９２は、直交方向のうち、第二の側に、搬送方向に沿うように設けられる。導入領域１１２において、第一ガイドローラ９０は、搬送方向において、直交方向における搬送装置１の中心までの距離が、漸次減少するように、配列されている。同じく、導入領域１１２において、第二ガイドローラ９２は、搬送方向において、直交方向における搬送装置１の中心までの距離が、漸次減少するように配列されている。即ち、導入領域１１２において、物品３を搬送するための搬送面として有効に機能する領域（図１及び図２に基づけば、第一ガイドローラ９０の外周面に接する仮想の破線と、第二ガイドローラ９２の外周面に接する仮想の破線との間の領域）の幅Ｗ（図１参照）は、漸次減少する。
【００２８】
例えば、物品３が、搬送方向の上流側において、直交方向における搬送装置１の中心付近に載せ置かれず、例えば、幅Ｗの領域内において第一の側に寄せて載せ置かれたとする。このような場合、物品３は、導入領域１１２を搬送されている途中で、第一ガイドローラ９０に接触する。その後、物品３は、第一ガイドローラ９０に沿って、且つ直交方向の中心側に寄りながら、搬送方向に搬送される。このような構成によれば、導入領域１１２において、物品３の直交方向における位置を、おおよそ合わせることができる。なお、斜行領域１１０及び送出領域１１４においては、第一ガイドローラ９０及び第二ガイドローラ９２は、共に、搬送方向に平行となるように配列されている。換言すれば、斜行領域１１０及び送出領域１１４においては、物品３を搬送するための搬送面として有効に機能する領域の幅Ｗは、一定である。
【００２９】
第一ガイドローラ９０及び第二ガイドローラ９２は、共に、同様の構成を有し、フリーローラによって構成される。具体的に、第一ガイドローラ９０及び第二ガイドローラ９２は、図３及び図５に示すように、回転軸９４と、ガイドローラ本体９６とによって構成される。回転軸９４は、鉛直方向に延在するよう、搬送装置１に所定の構成で支持され、ガイドローラ本体９６には、支持された回転軸９４が挿入される。ガイドローラ本体９６は、回転軸９４を中心として、回転軸９４の周方向を自由に回転することができる（図１において、最下流に示す第一ガイドローラ９０及び第二ガイドローラ９２の外周に記載の両矢の矢印参照）。これによれば、第一ガイドローラ９０又は第二ガイドローラ９２に接した物品３が、ガイドローラ本体９６の外周面に擦れながら、搬送されることを防止することができる。なお、第一ガイドローラ９０及び第二ガイドローラ９２は、同様の構成を有する。
【００３０】
切替機構１００は、複数の傾斜ローラ２０を、図１の第一状態から図２の第二状態とし、また、第二状態から第一状態とする。なお、第一状態は、搬送中の物品３を第一の側に斜行させるため、回転軸２２の傾斜角度が、角度θ１とされた状態である。第二状態は、搬送中の物品３を第二の側に斜行させるため、回転軸２２の傾斜角度が、角度θ２とされた状態である。切替機構１００は、例えば、図１及び図２に示すように、搬送装置１の第二の側に設けられ、第二の側において、回転軸２２を支持する。切替機構１００において、回転軸２２を支持する支持部材１０２は、搬送方向に沿った方向（図１において、「切替」と記載された両矢の矢印参照）に移動する。この移動に伴い、傾斜ローラ２０は、第一の側において回転軸２２が支持された位置を支点（図４に示す「支点Ｐ」参照）として揺動し、直交方向に対する傾斜角度は、図１に示すような角度θ１、又は、図２に示すような角度θ２に設定される。切替機構１００による切替動作は、切替機構１００に接続された所定の駆動源又は手動によって行われる。
【００３１】
＜搬送ローラ＞
搬送ローラ１０に含まれる、傾斜ローラ２０及び第一直行ローラ５０について、説明する。第二直行ローラ８０は、従来から利用されているローラコンベアを構成するローラと同様のローラである。そのため、第二直行ローラ８０の構造についての説明は、省略する。なお、図４は、図１及び図２と同じく、搬送装置１を上方から視認した部分断面図である。図５は、搬送装置１を、搬送方向の上流側から視認した状態に対応した部分断面図である。図４及び図５におけるハッチングは、断面を示すものである。
【００３２】
＜傾斜ローラ＞
傾斜ローラ２０について、図３及び図４等を参照して説明する。傾斜ローラ２０は、上述した回転軸２２の他、傾斜ローラ本体２４と、第一付勢部３２と、第二付勢部３４とを有する。回転軸２２は、スプラインシャフトによって構成される。回転軸２２は、傾斜ローラ本体２４に挿入される。回転軸２２は、挿入された状態で、傾斜ローラ本体２４を貫通し、傾斜ローラ本体２４は、自身を貫通する回転軸２２の軸方向（図１、図２及び図４に一点鎖線で示す「軸線Ｌ」が延在する方向参照）に摺動する。
【００３３】
傾斜ローラ本体２４は、第一摺動部２６と、第二摺動部２８と、カラー３０とによって構成される。第一摺動部２６及び第二摺動部２８には、スプラインシャフトによって構成される回転軸２２が挿入される。第一摺動部２６及び第二摺動部２８は、それぞれ、回転軸２２が挿入された状態で、回転軸２２の軸方向を摺動する。第一摺動部２６は、図１及び図２に示す状態において、回転軸２２の両端のうち、第一の側に設けられ、第二摺動部２８は、第二の側に設けられる。第一摺動部２６の外周面と、第二摺動部２８の外周面とによって、傾斜ローラ本体２４（傾斜ローラ２０）の外周面が形成される。物品３又はパレット５は、この外周面に接するようにして載せ置かれる。カラー３０は、第一摺動部２６と第二摺動部２８との間に設けられ、カラー３０の両端部は、それぞれ、第一摺動部２６及び第二摺動部２８に嵌合される。この嵌合は、例えば、隙間嵌めとされる。カラー３０が第一摺動部２６及び第二摺動部２８に嵌め合わせられることで、これら各部２６〜３０は、一体となり、傾斜ローラ本体２４が構成される。
【００３４】
第一付勢部３２及び第二付勢部３４は、例えば、図３及び図４に示すように、圧縮ばねによって構成される。第一付勢部３２及び第二付勢部３４は、同じ大きさの付勢力を生じさせるよう、例えば、同一の圧縮ばねによって構成される。第一の側において、第一付勢部３２には、回転軸２２が挿入される。第一付勢部３２は、回転軸２２の所定の位置に設けられた規制部３６によって、回転軸２２の軸方向のうち、傾斜ローラ本体２４と反対側への移動が規制される。第一付勢部３２は、規制部３６と、傾斜ローラ本体２４、具体的には、第一摺動部２６との間で、圧縮された状態となる。第二の側において、第二付勢部３４には、回転軸２２が挿入される。第二付勢部３４は、回転軸２２の所定の位置に設けられた規制部３８によって、回転軸２２の軸方向のうち、傾斜ローラ本体２４と反対側への移動が規制される。第二付勢部３４は、規制部３８と、傾斜ローラ本体２４、具体的には、第二摺動部２８との間で、圧縮された状態となる。
【００３５】
回転軸２２の軸方向において、第一付勢部３２は、第一摺動部２６を第二の側に付勢し、第二付勢部３４は、第二摺動部２８を第一の側に付勢する。第一付勢部３２及び第二付勢部３４のそれぞれによる付勢方向は、反対方向となり、付勢力が釣り合う回転軸２２上の位置において、傾斜ローラ本体２４は、静止する。傾斜ローラ２０において、回転軸２２の軸方向の何れか一方向に所定の力が作用し、傾斜ローラ本体２４に作用する軸方向の力が不均衡な状態となったとき、傾斜ローラ本体２４は、この所定の力が作用した方向に、移動し、相反する方向の力が釣り合った位置で静止する。その後、所定の力が作用しなくなったとき、傾斜ローラ本体２４は、第一付勢部３２及び第二付勢部３４のそれぞれによる付勢力が釣り合う元の位置に戻り、静止する。
【００３６】
傾斜ローラ２０の搬送装置１への取り付けは、図３及び図４に示すように、回転軸２２の両端にそれぞれ設けられた球面軸受４０，４２によって行われる。球面軸受４０は、搬送装置１の第一の側において、例えば、搬送装置１を構成するフレーム（不図示）に取り付けられる。同じく、球面軸受４２は、搬送装置１の第二の側において、例えば、搬送装置１を構成するフレーム（不図示）に取り付けられる。回転軸２２の両端側の部分は、それぞれ、フレームに取り付けられた球面軸受４０，４２によって支持される。球面軸受４０，４２によれば、図４に示すように、切替機構１００（図１及び図２参照）による切替動作に対応し、傾斜ローラ２０の揺動を実現し、直交方向に対する回転軸２２の傾斜角度を、角度θ１から角度θ２又はその逆へと変更することができる。例えば、第一の側において、揺動のための支点Ｐ（図４参照）を形成することができる。また、第二の側において、直交方向に対する回転軸２２の位置を、搬送方向の下流側又は上流側の各側に、移動させることができる。
【００３７】
第一の側において、回転軸２２の端部は、図３及び図４に示すように、ユニバーサルジョイント４４の一端側に接続されている。なお、ユニバーサルジョイント４４の他端側は、傾斜ローラ２０を含む搬送ローラ１０を回転させるためのタイミングベルトに接続される（不図示）。ユニバーサルジョイント４４によれば、図４に示すように、直交方向に対する回転軸２２の傾斜角度が変化しても、タイミングベルトによって伝達される駆動力を、傾斜ローラ２０に伝達することができる。
【００３８】
＜第一直行ローラ＞
第一直行ローラ５０について、図５を参照して説明する。第一直行ローラ５０は、傾斜ローラ２０と同様の構造を有する。即ち、第一直行ローラ５０は、図５に示すように、上述した回転軸５２の他、第一直行ローラ本体５４と、第一付勢部６２と、第二付勢部６４とを有する。回転軸５２は、傾斜ローラ２０の回転軸２２と同様の構成であり、回転軸５２は、第一直行ローラ本体５４に挿入され、第一直行ローラ本体５４を貫通する。第一直行ローラ本体５４は、自身を貫通する回転軸５２の軸方向に摺動する。回転軸５２に関する他の説明は、回転軸２２の場合と同様であり、省略する。
【００３９】
第一直行ローラ本体５４は、傾斜ローラ本体２４と同様の構成であり、第一摺動部５６と、第二摺動部５８と、カラー６０とによって構成される。第一摺動部５６、第二摺動部５８及びカラー６０は、それぞれ、傾斜ローラ２０の第一摺動部２６、第二摺動部２８及びカラー３０と同様の構成であり、上述した通りの機能を発揮する。そのため、これら各部５６〜６０に関する説明は、省略する。
【００４０】
また、第一付勢部６２及び第二付勢部６４は、それぞれ、傾斜ローラ２０の第一付勢部３２及び第二付勢部３４と同様の構成である。第一の側において、第一付勢部６２は、傾斜ローラ２０の第一付勢部３２と同様、回転軸５２の所定の位置に設けられた規制部６６によって、回転軸５２の軸方向のうち、第一直行ローラ本体５４と反対側への移動が規制される。第一付勢部６２は、規制部６６と、第一直行ローラ本体５４（第一摺動部５６）との間で、圧縮された状態となる。第二の側において、第二付勢部６４は、回転軸５２の所定の位置に設けられた規制部６８によって、回転軸５２の軸方向のうち、傾斜ローラ本体２４と反対側への移動が規制される。第二付勢部６４は、規制部６８と、第一直行ローラ本体５４（第二摺動部５８）との間で、圧縮された状態となる。第一付勢部６２及び第二付勢部６４に関する他の説明は、第一付勢部３２及び第二付勢部３４の場合と同様であり、省略する。
【００４１】
第一直行ローラ５０においても、回転軸５２の軸方向の何れか一方向に所定の力が作用し、第一直行ローラ本体５４に作用する軸方向の力（第一付勢部６２及び第二付勢部６４のそれぞれによる付勢力）が不均衡な状態となったとき、第一直行ローラ本体５４は、この所定の力が作用した方向に、移動し、相反する方向の力が釣り合った位置で静止する。その後、所定の力が作用しなくなったとき、第一直行ローラ本体５４は、第一付勢部６２及び第二付勢部６４のそれぞれによる付勢力が釣り合う元の位置に戻り、静止する。
【００４２】
第一直行ローラ５０の搬送装置１への取り付けは、図５に示すように、回転軸５２の両端にそれぞれ設けられたすべり軸受７０，７２によって行われる。第一直行ローラ５０については、傾斜ローラ２０のような切り替えは行われないため、回転軸５２を支持する軸受は、球面軸受とする必要がない。第一の側において、回転軸５２の端部は、第一直行ローラ５０を含む搬送ローラ１０を回転させるためのタイミングベルトに接続される（不図示）。
【００４３】
＜搬送動作＞
搬送装置１における物品３の搬送動作について、図１及び図２を参照して説明する。なお、図１及び図２において、物品３及び搬送ローラ１０等と重複し、搬送方向に延在する片矢の矢印は、以下に説明する搬送動作によって、物品３が搬送方向に搬送される際の搬送経路を示すものである。また、以下では、パレット５は用いられていないこととする。搬送装置１における搬送動作は、ユーザが、搬送方向の上流側において、物品３を搬送装置１、より詳細には、搬送ローラ１０によって形成される搬送面に載せ置くことで開始される。物品３は、載せ置かれた位置を基準として、導入領域１１２を直行して搬送方向に搬送される。例えば、載せ置かれた物品３が、図１において最も上流側に示す位置にある物品である場合、この物品３は、直交方向における位置が変化することなく、搬送方向を直行し、そのまま、導入領域１１２を通過する。
【００４４】
これに対し、物品３が、第一ガイドローラ９０又は第二ガイドローラ９２に近接した位置、換言すれば、幅Ｗの領域内において第一の側又は第二の側に寄せて載せ置かれたとする。このような場合、物品３は、導入領域１１２を搬送されている途中で、第一ガイドローラ９０又は第二ガイドローラ９２の何れかに接触する。このような場合、上述した通り、物品３は、第一ガイドローラ９０又は第二ガイドローラ９２に接触した後、これに沿って、且つ直交方向の中心側に寄りながら、搬送方向に搬送される。
【００４５】
物品３が、第一ガイドローラ９０又は第二ガイドローラ９２に接触すると、物品３には、接触した第一ガイドローラ９０又は第二ガイドローラ９２からの反力が作用する。物品３に作用した反力は、物品３の下面が接している第一直行ローラ５０、詳細には、第一摺動部５６及び第二摺動部５８に伝達される。反力が、第一摺動部５６及び第二摺動部５８に伝達されると、第一付勢部６２による付勢力と、第二付勢部６４による付勢力との釣り合いが不均衡な状態となる。その結果、第一直行ローラ本体５４は、回転軸５２の軸方向（図５参照）において、反力が作用する方向に対応した方向に移動する。例えば、物品３が、第二ガイドローラ９２に接触したとする。この場合、物品３には、第一の側への反力が作用し、第一付勢部６２による第二の側への付勢力より、第一の側への第二付勢部６４による付勢力及び反力を合計した力が大きくなる。従って、第一直行ローラ本体５４は、回転軸５２の軸方向において、反力が作用する方向に対応した第一の側に移動する。第一直行ローラ本体５４は、回転軸５２の軸方向において相反する方向の力が釣り合った位置で、静止する。
【００４６】
導入領域１１２を搬送された物品３は、導入領域１１２を通過し、次に、斜行領域１１０を、搬送方向に搬送される。斜行領域１１０において、物品３は、直交方向に対する傾斜角度に対応した側に斜行する。この点について、先ず、図１に基づき説明する。物品３は、角度θ１に対応し、直交方向のうち、第一の側に斜行し、第一の側に設けられた第一ガイドローラ９０に接触する。なお、導入領域１１２において、既に第一ガイドローラ９０に接触していた場合、物品３は、第一ガイドローラ９０に接触したまま、斜行領域１１０を搬送される。
【００４７】
物品３には、接触した第一ガイドローラ９０からの反力が作用する。物品３に作用した反力は、物品３に接している傾斜ローラ２０、詳細には、第一摺動部２６及び第二摺動部２８に伝達される。反力が、第一摺動部２６及び第二摺動部２８に伝達されると、第一付勢部３２による付勢力と、第二付勢部３４による付勢力との釣り合いが不均衡な状態となる。この場合、物品３には、第二の側への反力が作用し、第二付勢部３４による第一の側への付勢力より、第二の側への第一付勢部３２による付勢力及び反力を合計した力が大きくなる。その結果、傾斜ローラ本体２４は、回転軸２２の軸方向において、反力が作用する方向に対応した第二の側に移動する。傾斜ローラ本体２４は、回転軸２２の軸方向において相反する方向の力が釣り合った位置で、静止する。第一ガイドローラ９０に接した物品３は、第一ガイドローラ９０に沿った状態で位置決めされ、搬送方向に搬送される。
【００４８】
次に、図２に基づき説明する。物品３は、角度θ２に対応し、直交方向のうち、第二の側に斜行し、第二の側に設けられた第二ガイドローラ９２に接触する。なお、導入領域１１２において、既に第二ガイドローラ９２に接触していた場合、物品３は、第二ガイドローラ９２に接触したまま、斜行領域１１０を搬送される。
【００４９】
物品３には、接触した第二ガイドローラ９２からの反力が作用する。物品３に作用した反力は、物品３に接している傾斜ローラ２０、詳細には、第一摺動部２６及び第二摺動部２８に伝達される。反力が、第一摺動部２６及び第二摺動部２８に伝達されると、第一付勢部３２による付勢力と、第二付勢部３４による付勢力との釣り合いが不均衡な状態となる。この場合、物品３には、第一の側への反力が作用し、第一付勢部３２による第二の側への付勢力より、第一の側への第二付勢部３４による付勢力及び反力を合計した力が大きくなる。その結果、傾斜ローラ本体２４は、回転軸２２の軸方向において、反力が作用する方向に対応した第一の側に移動する。傾斜ローラ本体２４は、回転軸２２の軸方向において相反する方向の力が釣り合った位置で、静止する。第二ガイドローラ９２に接した物品３は、第二ガイドローラ９２に沿った状態で位置決めされ、搬送方向に搬送される。
【００５０】
斜行領域１１０で、第一ガイドローラ９０又は第二ガイドローラ９２に接触する位置に位置決めされ、斜行領域１１０を搬送された物品３は、斜行領域１１０を通過し、次に、送出領域１１４を、搬送方向に搬送される。送出領域１１４において、物品３は、斜行領域１１０で位置決めされた位置を基準として、第一ガイドローラ９０又は第二ガイドローラ９２に沿った状態のまま、直行して搬送方向に搬送される。送出領域１１４では、第一ガイドローラ９０及び第二ガイドローラ９２は、それぞれ、搬送方向に平行となるように設けられている。そのため、物品３が第一ガイドローラ９０及び第二ガイドローラ９２に接触した状態であっても、物品３には、上述したような反力は作用しない。なお、搬送装置１が、例えば、次に説明するインクジェット記録システム７に採用される場合、物品３は、このインクジェット記録システム７に含まれるインクジェット記録部２００の側に、そのまま、搬送される。
【００５１】
＜インクジェット記録システム＞
上述した搬送装置１は、図６に示すように、インクジェット記録システム７に採用することができる。以下、搬送装置１を有するインクジェット記録システム７について、説明する。インクジェット記録システム７は、搬送装置１の他、インクジェット記録部２００を有する。インクジェット記録部２００には、シリアル型のインクジェット記録部と、ライン型のインクジェット記録部とがある。本実施形態では、インクジェット記録部２００が、ライン型のインクジェット記録部である場合を例に説明する。
【００５２】
インクジェット記録部２００は、送出領域１１４を搬送されてきた物品３を、記録媒体として、物品３の上面にインクを吐出し、この上面に、例えばフルカラーの画像を記録する。記録媒体としての物品３としては、上述したような、コンクリートブロック、サイディング材（建築板）、段ボール箱、鋼板、ガラス板等の産業資材が例示される。物品３が、産業資材である場合、画像の記録には、例えば、活性エネルギー硬化型インクが用いられる。活性エネルギー硬化型インクとしては、紫外線硬化型インク又は電子線硬化型インク等が例示される。画像の記録に活性エネルギー硬化型インクが用いられる場合、インクジェット記録システム７は、活性エネルギー線を照射する照射部２２０を有する。本実施形態では、紫外線硬化型インクを例に説明する。この場合、照射部２２０では、活性エネルギー線としての紫外線が照射される。
【００５３】
インクジェット記録システム７において、搬送装置１は、図６に示すように、送出領域１１４に連続して設けられる別体の搬送機構（他の搬送装置）を含むように構成してもよい。別体の搬送機構において、物品３は、送出領域１１４を搬送される場合と同じく、搬送方向を直行して搬送される。従って、物品３の直交方向における位置は、斜行領域１１０で位置決めされた状態が維持される。別体の搬送機構は、第一ガイドローラ９０及び第二ガイドローラ９２が省略される他、図１及び図２に示す搬送装置１における送出領域１１４の部分と同様の構成を有する。なお、別体の搬送機構は、ベルトコンベア等、ローラコンベア以外の構成としてもよい。
【００５４】
なお、図６は、インクジェット記録システム７（搬送装置１）を、図１及び図２等と同一方向から視認した状態を示す図である。図６において、搬送装置１は、例えば搬送ローラ１０の図示を省略する等、簡略化して図示されている。また、以下では、別体の搬送機構によって物品３が搬送される領域を、記録領域１１６という。
【００５５】
インクジェット記録部２００は、記録ヘッド２１０Ｋ，２１０Ｃ，２１０Ｍ，２１０Ｙを有する。記録ヘッド２１０Ｋ，２１０Ｃ，２１０Ｍ，２１０Ｙは、物品３の搬送方向に隣り合った状態で配列されて設けられている。記録ヘッド２１０Ｋは、ブラックの紫外線硬化型インク（紫外線硬化型ブラックインク）を吐出する記録ヘッドである。記録ヘッド２１０Ｃは、シアンの紫外線硬化型インク（紫外線硬化型シアンインク）を吐出する記録ヘッドである。記録ヘッド２１０Ｍは、マゼンタの紫外線硬化型インク（紫外線硬化型マゼンタインク）を吐出する記録ヘッドである。記録ヘッド２１０Ｙは、イエローの紫外線硬化型インク（紫外線硬化型イエローインク）を吐出する記録ヘッドである。なお、搬送方向における記録ヘッド２１０Ｋ，２１０Ｃ，２１０Ｍ，２１０Ｙの配列は、図６の構成の他、これとは異なる配列順序としてもよい。各色の配列順序は種々の点を考慮し決定される。
【００５６】
記録ヘッド２１０Ｋ，２１０Ｃ，２１０Ｍ，２１０Ｙそれぞれには、搬送装置１の搬送面に対向するようにノズルが形成されている。ノズルは、直交方向に複数個配列された状態で、ノズル列を形成する。ノズル列は、記録ヘッド２１０Ｋ，２１０Ｃ，２１０Ｍ，２１０Ｙそれぞれに複数列形成されている。記録ヘッド２１０Ｋ，２１０Ｃ，２１０Ｍ，２１０Ｙそれぞれに対応する色の紫外線硬化型インクは、記録ヘッド２１０Ｋ，２１０Ｃ，２１０Ｍ，２１０Ｙそれぞれに形成されたノズルから吐出される。
【００５７】
照射部２２０は、インクジェット記録部２００（記録ヘッド２１０Ｙ）に対して、搬送方向下流側の所定の位置に設けられている。照射部２２０は、搬送装置１の搬送面（記録領域１１６）に向けて設けられた紫外線ランプを有し、搬送面の方向に紫外線を照射する。照射部２２０は、紫外線ランプから発せられた紫外線が外部に照射されることを防止可能なシャッタ機構を備え、このシャッタ機構を開閉させることで、紫外線の照射を開始し停止することができる。なお、紫外線の照射の開始及び停止は、紫外線ランプの点灯及び消灯によって実現してもよい。この場合、シャッタ機構は、省略される。
【００５８】
紫外線の照射の開始は、例えば、記録ヘッド２１０Ｙに対して搬送方向下流側で且つ照射部２２０に対して搬送方向上流側の所定の位置に設けられた検知センサ（不図示）によって、物品３が検知されたことを条件として行われる。これによって、物品３の上面に、紫外線が照射される。具体的に、照射部２２０では、記録ヘッド２１０Ｋ，２１０Ｃ，２１０Ｍ，２１０Ｙで、物品３の上面に記録されたブラックドット、シアンドット、マゼンタドット、イエロードットに、紫外線が照射される。一方、紫外線の照射の停止は、搬送方向下流側の所定の位置に設けられた検知センサ（不図示）によって、物品３が照射部２２０を通過したことが検知されたことを条件として行われる。紫外線の照射の開始後、所定の時間が経過したとき、紫外線の照射を停止する構成とすることもできる。
【００５９】
インクジェット記録システム７は、例えば、ブラック、シアン、マゼンタ及びイエローの紫外線硬化型インクをそれぞれ貯留したメインタンク２４０Ｋ，２４０Ｃ，２４０Ｍ，２４０Ｙを備える。メインタンク２４０Ｋに貯留された紫外線硬化型ブラックインクは、ブラック用のインク供給ライン２５０Ｋを通して、記録ヘッド２１０Ｋに供給される。メインタンク２４０Ｃに貯留された紫外線硬化型シアンインクは、シアン用のインク供給ライン２５０Ｃを通して、記録ヘッド２１０Ｃに供給される。メインタンク２４０Ｍに貯留された紫外線硬化型マゼンタインクは、マゼンタ用のインク供給ライン２５０Ｍを通して、記録ヘッド２１０Ｍに供給される。メインタンク２４０Ｙに貯留された紫外線硬化型イエローインクは、イエロー用のインク供給ライン２５０Ｙを通して、記録ヘッド２１０Ｙに供給される。また、インクジェット記録システム７は、自装置内で実行される処理を制御する制御部２６０を有する。制御部２６０は、例えば、ＣＰＵ、ＲＯＭ（ＲＯＭに記憶されたコンピュータプログラム）及びＲＡＭ等によって構成され、各種の機能手段を実現する。制御部２６０は、例えば、次に説明するインクジェット記録方法を制御する。
【００６０】
＜インクジェット記録方法＞
インクジェット記録システム７で実行されるインクジェット記録方法について、図６を参照して説明する。インクジェット記録方法が実行される場合、インクジェット記録システム７では、通信可能に接続されたパーソナルコンピュータ等のような外部装置から、物品３に記録される画像を示すデータが入力される。そして、入力されたデータに対して、ラスタライズ等の処理が実行され、所定のデータが生成される。また、搬送方向の上流側において、物品３が、物品３の第一面が上面となるように、換言すれば、物品３の第二面が下面となるようにして、搬送装置１に載せ置かれる。搬送装置１に載せ置かれた物品３は、搬送装置１によって、搬送方向に搬送される。その後、物品３は、搬送装置１の導入領域１１２、斜行領域１１０及び送出領域１１４を、搬送方向に搬送される。これら各領域１１２，１１０，１１４の搬送動作は、上述したように行われる。そのため、これに関する説明は、省略する。なお、図６に示す状態は、図１の第一状態に対応する。
【００６１】
送出領域１１４を搬送された物品３は、送出領域１１４を通過し、次に、記録領域１１６を、直交方向における位置が維持された状態のまま、直行して搬送方向に搬送される。その後、物品３は、インクジェット記録部２００に到達する。即ち、物品３は、記録ヘッド２１０Ｋ，２１０Ｃ，２１０Ｍ，２１０Ｙのそれぞれにおいて、ノズルが形成された面と、上面とされた物品３の第一面とが対向した位置に搬送される。このとき、インクジェット記録部２００では、ラスタライズによって生成された所定のデータに従って、物品３の第一面に対して、記録ヘッド２１０Ｋ，２１０Ｃ，２１０Ｍ，２１０Ｙが配置された順に、紫外線硬化型ブラックインク、紫外線硬化型シアンインク、紫外線硬化型マゼンタインク及び紫外線硬化型イエローインクが吐出される。吐出されたこれら紫外線硬化型インクのインク滴は、物品３の第一面に、着弾し付着する。これによって、物品３の第一面に、ブラックドット、シアンドット、マゼンタドット、イエロードットが形成され、入力されたデータによって示される画像が記録される。
【００６２】
第一面に画像が記録された物品３は、さらに、搬送装置１によって、下流側に搬送される。照射部２２０では、上述したタイミングで、紫外線の照射が開始される。そして、物品３の第一面に着弾した、各色のドットそれぞれを形成する各色の紫外線硬化型インクによるインク滴に、紫外線が照射される。これによって、インク滴が硬化し、硬化した複数のインクドットによって画像が、好適に記録される。
【００６３】
照射部２２０を通過した物品３は、搬送方向の下流側となる搬送装置１の所定の位置に到達したとき、搬送装置１から取り除かれる。ところで、物品３の第二面についても、画像が記録される場合がある。このような場合、搬送装置１では、切替機構１００が動作され、傾斜ローラ２０の傾斜角度が、角度θ１から角度θ２に切り替えられる。即ち、搬送装置１において、斜行領域１１０における傾斜ローラ２０が、図１の第一状態から図２の第二状態に切り替えられる。
【００６４】
搬送装置１から取り除かれた物品３は、第一面に画像を記録した際の搬送状態を基準として、第一の側から第二の側又はその逆に向けて反転、即ち、直交方向に反転され、既に画像が記録された第一面が下面となり、第二面が上面となるように反転される。その後、物品３は、第二面が上面とされた状態のまま、搬送方向の上流側において、再度、搬送装置１に載せ置かれる。続けて、再度、上述したように、搬送方向に搬送され、斜行領域１１０を通過する際、第二の側に斜行し、第二ガイドローラ９２に接し、位置決めされる。
【００６５】
その後、物品３は、送出領域１１４を通過し、記録領域１１６を搬送され、第二面に画像が記録され、且つ紫外線が照射され、搬送方向の下流側となる搬送装置１の所定の位置に到達し、搬送装置１から、再度、取り除かれる。これによって、物品３は、第一面及び第二面の両面に画像が記録された状態となる。なお、第二面に対するインクジェット記録方法は、第一面の場合と同様であるため、これに関するこの他の説明は、省略する。
【００６６】
＜本実施形態の効果＞
本実施形態では、物品３に作用する反力の方向に対応した方向に、傾斜ローラ本体２４が移動する。そのため、物品３が、傾斜ローラ本体２４の外周面（詳細には、第一摺動部２６の外周面及び第二摺動部２８の外周面）を擦って移動することを防止することができる。従って、前述の外周面と物品３の下面との間に生じる擦れ、及び、この擦れに起因した物品３の劣化等を防止した状態で、好適に物品３の位置決めを行うことができる。なお、上述した通り、このような効果は、傾斜ローラ２０と同様に動作する、第一直行ローラ本体５４を有する第一直行ローラ５０によっても得ることができる。
【００６７】
本実施形態では、斜行領域１１０に続けて送出領域１１４を設け、斜行領域１１０を通過した物品３が、この送出領域１１４を搬送されるような構成とした。物品３は、先頭部分は斜行領域１１０を通過したものの、後端部分は未だ斜行領域１１０を搬送されているような状態となる。このとき、物品３には、第一ガイドローラ９０又は第二ガイドローラ９２からの反力が作用する。
【００６８】
インクジェット記録システムは、上述した本実施形態のような構成の他、例えば、斜行領域１１０を通過した直後に、別体の搬送機構による記録領域１１６が設けられたような構成とすることもできる。この他、インクジェット記録システムは、斜行領域１１０に併設してインクジェット記録部２００を設け、斜行領域１１０を通過した直後に、上述したように画像が記録されるようにすることもできる。しかし、このようなインクジェット記録システムでは、第一ガイドローラ９０又は第二ガイドローラ９２からの反力が作用した状態で、物品３は、別体の搬送機構による記録領域１１６に移動しなければならない。発明者は、このような場合、好適な移動が阻害されることがあることを、実験によって知得している。また、反力が作用した状態で、物品３に画像が記録されることとなるが、このような場合、例えば画像の位置ずれが生じることも想定される。
【００６９】
上述したような送出領域１１４を設けた本実施形態では、送出領域１１４において、物品３を、反力が作用せず、単に位置決めだけされ、搬送方向を直行する状態とすることができる。そのため、物品３の記録領域１１６への移動を、前述したような状態で行うことが可能となり、好適に実現することができる。また、物品３に反力が作用していない状態で、画像を記録することができるため、好適な画像を記録することができる。
【００７０】
本実施形態では、物品３の第一面及び第二面の両面に画像を記録する場合、物品３の第一面への画像の記録が終了した後、搬送装置１の状態を、第一状態から第二状態へと切り替え、且つ、物品３を直交方向に反転させることとした。従って、第一面への画像の記録の際と、第二面への画像の記録の際との両時において、搬送方向に対する物品３の先頭位置を、同一とすることができる。また、第一ガイドローラ９０及び第二ガイドローラ９２に接する物品３の側面部を同一とし、前述の両時において、物品３の位置決めを１つの側面部（基準側面部）を基準として行うことができる。そのため、第一面及び第二面に記録されるそれぞれの画像の位置ずれを防止し、好適な状態とすることができる。
【００７１】
＜変形例＞
本実施形態は、次のようにすることもできる。このような変形例によっても、上述した効果と同様の効果を、適宜得ることができる。即ち、上記では、搬送装置１を採用した構成として、インクジェット記録システム７を例として説明した。しかし、搬送装置１は、インクジェット記録システム７以外のシステムについても適用することができる。例えば、所定の製品の製品出荷システムに採用することもできる。つまり、搬送装置１は、搬送対象の物品３の、直交方向における位置を、搬送中に、決められた位置とする必要がある、各種のシステムに採用することができる。
【００７２】
また、上記では、物品３の側面部（基準側面部）が、第一ガイドローラ９０又は第二ガイドローラ９２のガイドローラ本体９６に接する構成を例として説明した。この他、パレット５の側面の一部を、基準側面部とし、パレット５の基準側面部が、第一ガイドローラ９０又は第二ガイドローラ９２のガイドローラ本体９６に接するようにしてもよい。この場合、物品３は、パレット５に対して、位置決めされた状態で載せ置かれる。
【符号の説明】
【００７３】
１  搬送装置
３  物品、  ５  パレット
７  インクジェット記録システム
１０  搬送ローラ
２０  傾斜ローラ
２２  回転軸、  ２４  傾斜ローラ本体、  ２６  第一摺動部、  ２８  第二摺動部
３０  カラー、  ３２  第一付勢部、  ３４  第二付勢部
５０  第一直行ローラ
５２  回転軸、  ５４  第一直行ローラ本体
５６  第一摺動部、  ５８  第二摺動部
６０  カラー、  ６２  第一付勢部、  ６４  第二付勢部
８０  第二直行ローラ、  ８２  回転軸
９０  第一ガイドローラ、  ９２  第二ガイドローラ
９４  回転軸、  ９６  ガイドローラ本体
１００  切替機構、  １０２  支持部材
１１０  斜行領域、  １１２  導入領域、  １１４  送出領域、  １１６  記録領域
２００  インクジェット記録部
２１０Ｋ，２１０Ｃ，２１０Ｍ，２１０Ｙ  記録ヘッド
【図１】
0005851712.tif 000002
【図２】
0005851712.tif 000003
【図３】
0005851712.tif 000004
【図４】
0005851712.tif 000005
【図５】
0005851712.tif 000006
【図６】
0005851712.tif 000007